(57)【特許請求の範囲】
【請求項１】
電磁ソレノイドの励磁コイルの装着されたヨークによって形成された前後方向に貫通する内部空間には電磁ソレノイドのプランジャが移動可能に挿入され、ヨークの内部空間から後方に突出したプランジャの後端部には復帰ばねが装着され、復帰ばねの前端がヨークの後端に受止められ、復帰ばねの後端がプランジャの後端に結合されたばね止に受止められ、プランジャの前端にはハンマー支持棒が同軸状に結合され、ヨークの内部空間から前側に突出したハンマー支持棒の先端部には遊技媒体である球を打つハンマーが装着され、ハンマーとヨークの前端との間におけるハンマー支持棒にはプランジャおよびハンマー支持棒の復帰ばねのばね力による後方への移動でヨークの前端に受止められることによってハンマーの発射開始位置を決めるための緩衝部材が固定されていて、励磁コイルへの電力供給と遮断とにより、ハンマーが直線的に前進と後退とを繰り返す球発射動作を行うパチンコ機の球発射機構において、前記ヨークの後端とプランジャの後端に結合されたばね止との双方に受止められる復帰ばねが金属製のコイルばねで形成され、前記ばね止が金属により形成されたことによって、プランジャとヨークとが復帰ばねで導電性を有して接続される一方、ヨークにはアース線が接続されたことを特徴とするパチンコ機の球発射機構。
【発明の詳細な説明】
【０００１】
【発明の属する技術分野】
本発明は、パチンコ機において遊技媒体である球を発射する球発射機構で発生した静電気を除去する構造に関する。
【０００２】
【従来の技術】
一般的に、球発射機構は球発射動作を連続的に繰返す。この繰返される球発射動作において、異種材質である２つの部材が互いに擦れる部分が多数存在しているため、係る２部材相互での接触後の分離や剥離及び摩擦に起因する静電気が多量に発生する可能性がある。
【０００３】
【発明が解決しようとする課題】
上記のような静電気が発生すると、ＣＰＵやＲＯＭ及びＲＡＭ等よりなるコンピュータや半導体装置等を用いた遊技制御処理に悪影響を及ぼすノイズが球発射機構の周りの配線を通して当該遊技制御処理を行う制御装置に取込まれる可能性があり、係るノイズが制御装置に侵入すると、遊技制御処理が異常となり、適正な遊技を継続できない可能性がある。
【０００４】
そこで、本発明は、静電気を除去することができるパチンコ機の球発射機構を提供するものである。
【０００５】
【課題を解決するための手段】
本発明に係る球発射機構は、電磁ソレノイドの励磁コイルの装着されたヨークによって形成された前後方向に貫通する内部空間には電磁ソレノイドのプランジャが移動可能に挿入され、ヨークの内部空間から後方に突出したプランジャの後端部には復帰ばねが装着され、復帰ばねの前端がヨークの後端に受止められ、復帰ばねの後端がプランジャの後端に結合されたばね止に受止められ、プランジャの前端にはハンマー支持棒が同軸状に結合され、ヨークの内部空間から前側に突出したハンマー支持棒の先端部には遊技媒体である球を打つハンマーが装着され、ハンマーとヨークの前端との間におけるハンマー支持棒にはプランジャおよびハンマー支持棒の復帰ばねのばね力による後方への移動でヨークの前端に受止められることによってハンマーの発射開始位置を決めるための緩衝部材が固定されていて、励磁コイルへの電力供給と遮断とにより、ハンマーが直線的に前進と後退とを繰り返す球発射動作を行うパチンコ機の球発射機構において、前記ヨークの後端とプランジャの後端に結合されたばね止との双方に受止められる復帰ばねが金属製のコイルばねで形成され、前記ばね止が金属により形成されたことによって、プランジャとヨークとが復帰ばねで導電性を有して接続される一方、ヨークにはアース線が接続されたことによって、球発射動作に伴い球発射機構の内部に発生した静電気を球発射機構からアース線に適切に逃がすことができる。
【０００６】
【発明の実施の形態】
図１は第１実施形態のパチンコ機の球発射機構１４を示す。図１において、球発射機構１４としては機構ベース５０に導電性合成樹脂製のソレノイドマウント５１を球発射駆動の反力を吸収するバックラッシュ吸収機構５２で取付け、ソレノイドマウント５１に球発射駆動源として電磁ソレノイド７０を搭載したものを例示する。
【０００７】
バックラッシュ吸収機構５２は金属製のガイドレール５３、ガイドレール５３に装着されたゴム又は軟質合成樹脂のような弾性を有する素材よりなる複数のダンパー５４、ポリアセタールのような合成樹脂製のロールガイド５５、ロールガイド５５に形成された溝５５ａに嵌め込まれた金属製のロールスライダ５６、ロールガイド５５とソレノイドマウント５１とに装着されたゴム又は軟質合成樹脂のような弾性を有する素材よりなるダンパー５７を有し、電磁ソレノイド７０による球発射駆動に伴い、プランジャ７７の軸方向と同方向に発生する反力をダンパー５４；５７で吸収すると共に、ソレイドマウント５１のガイドレール５３を中心として機構ベース５０に対して図１の紙面表裏方向に回転しようとするロール運動を、ロールガイド５５とロールスライダ５６との嵌合で解消する。
【０００８】
ソレノイドマウント５１の下部をプランジャ７７の移動方向と同方向に移動可能に挿入したガイドレール５３とソレノイドマウント５１との嵌合部分にはソレノイドマウント５１に固定されたポリアセタールのような合成樹脂製のブッシュ５８を配置し、ソレノイドマウント５１より外側に突出したガイドレール５３の両端部が機構ベース５０に固定される。ダンパー５４は両端部にポリアセタールのような合成樹脂製の受部５９を固定し、一方の受部５９がブッシュ５８で受止められ、他方の受部５９がガイドレール５３に固定された止輪６０で受止められる。ロールガイド５５は機構ベース５０に固定され、ロールスライダ５６はソレノイドマウント５１に固定される。
【０００９】
電磁ソレノイド７０は主ヨーク７１と外副ヨーク７２及び内副ヨーク７３よりなる鉄系金属製のヨークの内部空間に耐熱合成樹脂製のボビン７４に装着された励磁コイル７５を格納し、ヨーク７１〜７３及びボビン７４にハンマー支持棒７６とハンマー支持棒７６を同軸状に結合した鉄系金属製のプランジャ７７とを挿入し、ヨーク７１〜７３より外側に突出したハンマー支持棒７６にシリコンゴムのような材料よりなる緩衝部材７８及びシリコンゴムのような材料よりなるハンマー７９を脱落防止及び交換可能に装着し、ヨーク７１〜７３より外側に突出したプランジャ７７に結合された金属製のばね止８０に重ね合されたポリアセタールのような合成樹脂製のばねシート８１と主ヨーク７１との間にコイルスプリングのような金属製の復帰ばね８２を配置し、復帰ばね８２のばね力により緩衝部材７８を外副ヨーク７２で受け止める一方、復帰ばね８２の一端部を主ヨーク７１に接続し、復帰ばね８２の他端部をばね止８０に接続する。このヨーク７１〜７３とプランジャ７７とを相互に復帰ばね８２で接続したことにより導電性を取ったことは新規な構造である。
【００１０】
ばねシート８１よりヨーク７１〜７３の側において、復帰ばね８２で囲まれた内部に位置するプランジャ７７にはゴム又は軟質合成樹脂製の衝撃吸収部材８３を固定し、主ヨーク７１とプランジャ７７との間には鉄系金属製のライナーガイド８４と合成樹脂製のライナー８５を配置する。ライナーガイド８４が主ヨーク７１に取付られ、ライナー８５がライナーガイド８４に取付けられる。内副ヨーク７３とハンマー支持棒７６との間には鉄系金属製のライナーガイド８６及び合成樹脂製のライナー８７を配置し、ライナーガイド８６が内副ヨーク７３に取付られ、ライナー８７がライナーガイド８６に取付けられる。内副ヨーク７３より外側に突出したゴム又は軟質合成樹脂製の止輪８８がボビン７４で受止められ、外副ヨーク７２が主ヨーク７１に結合されることで内副ヨーク７３を支持する。
【００１１】
前記構造において、励磁コイル７５に図外の球発射制御装置のような制御装置より球発射用の電力が供給されると、ヨーク７１〜７３及びプランジャ７７を経由する閉磁路が形成され、プランジャ７７が復帰ばね８２を圧縮させつつ内副ヨーク７３に急激に吸引され、この急激な吸引によるプランジャ７７の前進により、ハンマー７９がそれの前に所定間隔を以って機構ベース５０に固定された金属製の球発射レール１５上に置かれた図外の球を打つように発射する。上記励磁コイル７５への電力の供給が遮断されると、閉磁路が消滅し、復帰ばね８２がプランジャ７７を後退し、緩衝部材７８がヨーク７１〜７３に当り、ハンマー７９が元の位置に戻る。この電力供給と遮断との繰返しにより球発射機構１４は球発射動作を連続的に繰返す。
【００１２】
第１実施形態では、プランジャ７７とライナー８５との接触部分、ハンマー支持棒７６とライナー８７との接触部分、ガイドレール５３とブッシュ５８との接触部分、受部５９とブッシュ５８との接触部分、ロールガイド５５とロールスライダ５６との接触部分、衝撃吸収部材８３とヨーク７１〜７３との接触部分、緩衝部材７８とヨーク７１〜７３との接触部分等、異種材質たる２部材間の摺り合う部分が多数存在することから、本出願人は係る２部材相互での接触後の分離や剥離及び摩擦に起因して静電気が発生することを確認し、当該静電気を除去するために、次のような第１〜第５実験を行った。実験に際しては、ソレノイドマウント５１として電気的な絶縁材である通常の合成合成樹脂製のものを使用した。
【００１３】
第１実験ではヨーク７１〜７３にアース線Ａを１０ｋオームの抵抗器を介して接続し、ガイドレール５３にアース線Ｂを１０ｋオームの抵抗器を介して接続し、ロールスライダ５６にアース線Ｃを１０ｋオームの抵抗器を介して接続した。第２実験ではヨーク７１〜７３にアース線Ａを１０ｋオームの抵抗器を介して接続し、ガイドレール５３にアース線Ｂを１０ｋオームの抵抗器を介して接続し、ロールスライダ５６よりアース線Ｃを外した。第３実験ではヨーク７１〜７３にアース線Ａを直接的に接続し、ガイドレール５３にアース線Ｂを直接的に接続した。第４実験ではヨーク７１〜７３のみにアース線Ａを抵抗器を入れずに直接的に接続した。第５実験ではガイドレール５３のみにアース線Ｂを抵抗器を入れずに直接的に接続した。
【００１４】
そして、第１〜第５実験において、球発射機構１４を球発射作動しながら、図外の球発射制御装置の５ボルト制御電源を観測しオシロスコープのトリガー電圧を６ボルトにして、静電気によるノイズが発生するか否かを調べたところ、第１〜第４実験では当該ノイズの発生は無かったが、第５実験のみノイズの発生があった。アース線Ａ；Ｃにはソレノイドマウント５１のバックラッシュ吸収に悪影響を及ぼすことがないような可撓性の有る電線を用いた。以上の実験によりプランジャ７７とヨーク７１〜７３とを復帰ばね８２で接続した状態において、ヨーク７１〜７３を直接的或いは１０ｋオームの抵抗器を介して少なくとも接続すれば実用上問題は生じないことが確認できた。従って、第１実施形態のように、ソレノイドマウント５１を導電性合成樹脂製とし、当該ソレノイドマウント５１に可撓性のある電線よりなる図外のアース線を接続することによって、電磁ソレノイド７０のヨーク７１〜７３及びロールスライダ５６は導電性合成樹脂により決まる所定の抵抗値を示すソレノイドマウント５１を介してアース線Ａ；Ｃに相当するアース線に接続され、当該静電気を適切に除去することができる。
【００１５】
図２及び図３は第２実施形態であって、図２は前記球発射機構１４をフロントプレート１０に搭載しアース線Ａ；Ｃの少なくとも一本をリアプレート４に接続すると共にアース線Ｂを球発射レール１５に接続し、フロントプレート１０に球発射レール１５と枠支持体２１とを接続するための枠側接触体４０を備えたパチンコ機の遊技機枠体１を示し、図３は球発射レール１５と枠支持体２１との接続構造の断面を示す。
【００１６】
図２を参照し、遊技機枠体１について説明する。遊技機枠体１は額縁状の外枠２に前枠３及び前面化粧体２０をヒンジで前方横方向に片開き可能に取付ける。前枠３は額縁状であって、裏側に前枠３の補強部材として固定された金属製のリアプレート４との協同により遊技盤収納部を形成する。リアプレート４は中央開口部５の周りの左右縁部及び上縁部に盤ロック機構６；７；８を備え、下縁部にフロントプレート１０を備え、更に、フロントプレート１０よりも左側上方に位置する部分に逃孔９を備える。フロントプレート１０はスピーカユニット１１と掛止機構１２とファール球樋１３と球発射機構１４と球発射レール１５とアウト球中継口１６及び枠側接触体４０を備える。
【００１７】
枠側接触体４０は図３にも示すようにステンレスのような金属製よりなる帯体状であって、一端部をステンレス製の球発射レール１５の球道を確保するように球発射レール１５の前側に接続しかつ金属製の止ねじ４１で球発射レール１５に固定し、他端部をフロントプレート１０の前側に配置された枠支持体２１に導電性ゴムのような導電性を有する弾性体４２を介して接続する。弾性体４２は枠支持体２１と枠側接触体４０との間に圧縮配置され、復元弾性により枠支持体２１と枠側接触体４０とに弾性下で接続し、枠側接触体４０を前枠３に押付ける。前枠３は右縁部に施錠装置１７を備え、上皿装置２４よりも下縁部に下皿装置１８を備え、下皿装置１８の右側に球発射機構１４の球発射強度を操作するハンドルグリップ１９を備える。
【００１８】
前面化粧体２０は前枠３を覆う前面意匠を形成するものであって、枠支持体２１と周辺飾り２２とパネル枠２３及び上皿装置２４を備える。枠支持体２１は金属製であって、前枠３の内周縁に図外の木ねじのような複数の止ねじで固定される。枠支持体２１を前枠３に固定する止ねじの内の少なくとも１本の金属よりなる止ねじ２５は前枠３を貫通してリアプレート４に接続し締結される。周辺飾り２２は前枠３の左右縁部と上縁部及び枠支持体２１を覆うように前枠３に固定される。パネル枠２３は周辺飾り２２の内部で枠支持体２１に図外のヒンジで前横方向に片開き可能に取付けられた額縁状であって、パネル枠２３の内開口部を覆う透視性の有る合成樹脂やガラス等のパネル２６を備える。
【００１９】
上皿装置２４はパネル枠２３よりも下部に配置される前側に突出する上方開放状の上皿球貯蔵室２９を有するものであって、上皿取付基体であるボックスプレート２７と上皿前側意匠である皿部２８とを備える。ボックスプレート２７は枠支持体２１に金属製のヒンジ３０で導電性を有する状態で前側に片開き可能に取付けられた金属製であって、上皿球流入樋３１と球排出口３２と金属製の上皿ロック機構３３を備える。上皿球流入樋３１は前枠３の裏側に設けられた図外の球払出機構から払出された球を上皿球貯蔵室２９に排出し、球排出口３２は上皿球貯蔵室２９から球を球発射機構１４の球発射レール１５に導出する。
【００２０】
リアプレート４の裏側には交流を遊技機で使用する直流に変換する電源装置９０を備える。電源装置９０は交直変換部９１及びアレスタやバリスタ等のサージアブソーバ９２並びにその他電気部品等を内蔵した金属製のケースを金属製の止ねじ９３でリアプレート４に接触し固定される。電源装置９０のケースにはアース線９５が金属製の止ねじ９６で配線される。止ねじ９６は交直変換部９１及びサージアブソーバ９２並びにその他電気部品を実装するプリント回路基板のような回路基板のアース端子をケースに止めるねじを兼用する。電源装置９０の電源プラグ９７は島トランスのようなＡＣ２４ボルトを出力する島側電源９８に接続される。
【００２１】
次に、遊技機枠体１の内部に図外の遊技盤を装着した状態において、店員が電源装置９０の電源スイッチをオン操作すると、ＡＣ２４ボルトの交流電源が島側電源９８より電源装置９０に供給され、電源装置９０の交直変換部９１が島側電源９８から受電した交流電源を変換したＤＣ２４ボルトやＤＣ１２ボルト及びＤＣ５ボルトのような定電圧電源それぞれを配線により前枠３の裏側や遊技盤の裏側に設けられた主制御装置、特別図柄制御装置、表示灯制御装置、音制御装置、球払出制御装置、球発射制御装置の機能別に分別構成された複数の制御装置に出力する。そして、遊技者が上皿装置２４に球を入れ、ハンドルグリップ１９を操作すると、球発射機構１４が上皿装置２４より供給された球を発射する。この発射された打球は球発射レール１５より遊技盤の側に飛び出す。
【００２２】
第２実施形態の構造によれば、球発射機構１４のアース線Ａ；Ｃの少なくとも一本をリアプレート４に接続したことで、球発射機構１４自体に発生した静電気をリアプレート４に適切に逃がすことができる。又、アース線Ｂを球発射レール１５に接続し、導電性の枠側接触体４０や導電性の止ねじ４１及び導電性の弾性体４２で導電性の球発射レール１５と導電性の枠支持体２１とを接続し、枠支持体２１を導電性の止ねじ２５で導電性のリアプレート４に接続したことにより、球発射機構１４のハンマー７９との衝突や球発射レールとの摩擦によって発射された球に帯電した静電気及びソレノイドマウント５１との摩擦によってガイドレール５３に帯電した静電気も球発射機構１４から止ねじ４１、枠側接触体４０、弾性体４２、枠支持体２１及び止ねじ２５を順に経由してリアプレート４に適切に逃がすことができる。
【００２３】
リアプレート４に帯電された静電気はリアプレート４から大気に除々に自然に放電されるが、リアプレート４の帯電量が絶縁破壊量を超えた場合、近くの放電を受け易いものとの間で急激な気中放電が起って電磁波が発生する。その電磁波の発生を抑えるためにリアプレート４に帯電された静電気の量が所定値を越えた場合、静電気はリアプレート４からサージアブソーバ９２及び電源プラグ９７を経由して島側電源９８に逃がされる。
【００２４】
第２実施形態の構造において、枠支持体２１やパネル枠２３及び枠側接触体４０を合成樹脂や塗料等の電気絶縁製表皮層で覆うことによって、遊技状態において遊技者や店員等の人体に不快な静電気の放電を起こすことはない。この場合、枠側接触体４０と止ねじ４１との接触部分は電気的な伝達性を保持することは必要である。
【００２５】
図４及び図５は第３実施形態であって、図４は球発射レール１５と掛止機構１２との接続構造の正面を示し、図５は枠側接触体４３の周りの断面を示す。図４において、枠側接触体４３は球発射レール１５と掛止機構１２とを接続する金属製よりなる帯体状であって、一端部をステンレス製の球発射レール１５の球道を確保するように球発射レール１５の前側に接続しかつ金属製の止ねじ４４で球発射レール１５に固定し、他端部を掛止機構１２に固定部４５で接続する。
【００２６】
図５において、固定部４５はフロントプレート１０より突出した部分を掛止機構１２の支点ベース１１６に形成された貫通孔及び枠側接触体４３に形成された貫通孔に挿入した後、枠側接触体４３より前側に突出した固定部４５を熱により溶融しつつ押し潰したことで、枠側接触体４３が支点ベース１１６に接続し固定される。固定部４５は金属製の止ねじで代替しても良い。掛止機構１２では支点ベース１１６に形成されたレバー軸１１７を操作レバー１１８に形成された軸受孔１１９に挿入することにより、支点ベース１１６に操作レバー１１８が回転可能に連結される。操作レバー１１８は環状の掛止具１２０を回転可能に備える。掛止機構１２を構成する支点ベース１１６とレバー軸１１７と操作レバー１１８及び掛止具１２０は金属製である。
【００２７】
そして、遊技機枠体１の内部に前記図外の遊技盤に相当する遊技盤１０４を格納し、操作者が操作レバー１１８を図５の仮想線示位置に停止し、掛止具１２０を図５の仮想線示位置より一点鎖線示位置に移動し、掛止具１２０の自由端部を飾りベース１０５に近づけた状態において、操作レバー１１８を図５の仮想線示位置から実線示位置に移動するように操作すると、操作レバー１１８のレバー軸１１７を回転中心とする回転運動により、掛止具１２０が下方に移動する。この掛止具１２０の下方に移動する過程において、掛止具１２０の自由端部が外バンド金具１０２のフック部１０３に上方より下方へと係合した後にフック部１０３をフロントプレート１０の側に引下げる。この掛止具１２０による掛止機構１２の引下げにより、遊技盤１０４とフロントプレート１０とが互いに固定する。
【００２８】
又、外バンド１０１が導電性のバンド釘１１４、導電性の外バンド金具１０２、導電性の掛止機構１２、導電性の枠側接触体４３、図４の導電性の球発射レール１５、図４の導電性の枠側接触体４０、図３の導電性の弾性体４２、図４の導電性の枠支持体２１及び図２の導電性の止ねじ２５を介して導電性のリアプレート４に接続したことにより、外バンド１０１上の球に帯電した静電気も外バンド１０１からバンド釘１１４、外バンド金具１０２、掛止機構１２、枠側接触体４３、球発射レール１５、枠側接触体４０、弾性体４２、枠支持体２１及び止ねじ２５を順に経由してリアプレート４に適切に逃がすことができる。
【００２９】
図６は第４実施形態の球発射レール１５と掛止機構１２との接続構造の正面を示す。第４実施形態は図４の枠側接触体４０に代えて枠側接触体４６を掛止機構１２の側に設けて、外バンド１０１上の球に帯電した静電気及び球発射レール１５上の球に帯電した静電気をリアプレート４に適切に逃がすようにしたものである。枠側接触体４６は一端部を枠側接触体４３の前側に重ね合せて固定部４５を押し潰したことで枠側接触体４３に接続し、他端部を図３に示す弾性体４２に相当する図外の弾性体を介して枠支持体２１に接続している。
【００３０】
図７〜図９は第５実施形態であって、図７はフロントプレート１０に搭載した球発射機構１４に関するアース線Ａをリアプレート４に接続するための金属製のコイルばね１３１を備えたパチンコ機の遊技機枠体１を示し、図８はコイルばね１３１を示し、図９はコイルばね１３１とボックスプレート２７と電磁ソレノイド７０のヨーク７１〜７３との接続構造を示す。
【００３１】
図７において、コイルばね１３１の一端部より延びた取付部１３２をボックスプレート２７の裏面に金属製の止ねじ１３３取付けている。図８において、コイルばね１３１はコイル径が一端部より中央部側に行くに従って細くなると共に最小径部より他端部側に行くに従って徐々に大きくなる鼓型である。図９において、ボックスプレート２７が閉じられて図７の前枠３にロックされると、コイルばね１３１の他端部がヨーク７１〜７３に接触すると共にコイルばね１３１がボックスプレート２７とヨーク７１〜７３とで圧縮される。
【００３２】
よって、図７〜図９に示すように、球発射機構１４が球発射動作を行なっても、コイルばね１３１が鼓型に形成されていることから、コイルばね１３１の一端部がボックスプレート２７に固定的に接触し、コイルばね１３１の他端部がヨーク７１〜７３に固定的に接触したまま電磁ソレノイド７０の移動に追随して移動し、コイルばね１３１の中間部が電磁ソレノイド７０の移動に追随して揺れ動くことにより、電磁ソレノイド７０の球発射動作に悪影響を及ぼすことはなく、コイルばね１３１とボックスプレート２７との接続不良を起すこと無く、コイルばね１３１とヨーク７１〜７３との接続不良も起すこと無く、球発射機構１４自体に発生した静電気をヨーク７１〜７３からコイルばね１３１とボックスプレート２７とヒンジ３０と枠支持体２１及び止ねじ２５を経由してリアプレート４に適切に逃がすことができる。
【００３３】
図１０は第６実施形態に係る球発射機構１４に関するアース線Ｂをリアプレート４に接続するためのステンレスのような金属帯板状の接続板１４１を備えた構造を示す。図１０において、接続板１４１は球発射機構１４のガイドレール５３と球発射レール１５を接続するのであって、一端部をガイドレール５３の先端部に接続しかつガイドレール５３を機構ベース５０に固定する金属製の止ねじ１４２でガイドレール５３に固定し、他端部を球発射レール１５の球道を確保するように球発射レール１５の前側に接続しかつ金属製の止ねじ１４３で球発射レール１５に固定する。よって、球発射機構１４の球発射動作により、ガイドレール５３とブッシュ５８との接触部分や受部５９とブッシュ５８との接触部分に発生する静電気を球発射レール１５から接続板４０と弾性体４２と図７の枠支持体２１及び止ねじ２５を経由してリアプレート４に適切に逃がすことができる。
【００３４】
各実施形態では導電性合成樹脂には、例えば、東洋インキ（株）社製のリオコンダクト（登録商標）ＥＭＩのように熱可塑性合成樹脂にステンレス極細繊維を分散させた材料、大日精化（株）社製のネオコンのように合成樹脂にポリアセチレン・ポリピロール・ポリアニリン等の導電性ポリマー、銀・銅・ニッケル・アルミニウム等の金属とカーボンブラックのような導電材料を混練した材料、三菱瓦斯化学（株）社製のユーピロン（登録商標）ＣＦのようにポリカーボネート樹脂に炭素繊維を充填した材料、東レ（株）社製のトレカ（登録商標）ペレットのように熱可塑性樹脂に炭素繊維を分散した材料、電気化学工業（株）社製のデンカエミコンのようにスチレン系樹脂に炭素繊維等の導電性充填剤を混ぜた材料、等がある。
【００３５】
図１において、ブッシュ５８、受部５９、緩衝部材７８、ハンマー７９、ばねシート８１、衝撃吸収部材８３、ライナー８５及びライナー８７等の部品を導電性合成樹脂で形成しても良い。ばねシート８１を形成する導電性合成樹脂としてはＰＯＭ（ポリアセタール）で形成すれば静電気除去の観点より最良である。
【図面の簡単な説明】
【図１】第１実施形態の球発射機構を示す一部破断正面図。
【図２】第２実施形態の遊技機枠体を示す模式図。
【図３】第２実施形態の接続構造を示す断面図。
【図４】第３実施形態の接続構造を示す正面図。
【図５】第３実施形態の接続構造を示す断面図。
【図６】第４実施形態の接続構造を示す正面図。
【図７】第５実施形態の遊技機枠体を示す模式図。
【図８】第５実施形態のコイルばねを示す斜視図。
【図９】第５実施形態の接続構造を示す平面図。
【図１０】第６実施形態の接続構造を示す斜視図。
【符号の説明】
Ａ  アース線
Ｂ  アース線
Ｃ  アース線
１  遊技機枠体
１４  球発射機構
【図１】
0003574414.tif 000002
【図２】
0003574414.tif 000003
【図３】
0003574414.tif 000004
【図４】
0003574414.tif 000005
【図５】
0003574414.tif 000006
【図６】
0003574414.tif 000007
【図７】
0003574414.tif 000008
【図８】
0003574414.tif 000009
【図９】
0003574414.tif 000010
【図１０】
0003574414.tif 000011